(57)【要約】【課題】カメラモジュールの光学系の組立調整を容易化するカメラモジュールの製造方法を提供する。            【解決手段】鏡枠と、固定レンズの先端側に配置され、光軸方向に移動可能とされる可動レンズと、前記可動レンズを光軸方向に駆動するアクチュエータと、を備え、前記アクチュエータは、前記可動レンズの外周に固定されるレンズマウント部及び、前記レンズマウント部の外周に配置され該レンズマウント部を光軸方向に移動させる駆動部を含むアクチュエータ基部を有するカメラモジュールの製造方法であって、前記固定レンズと同一外径を有し、上面に、前記鏡枠に装着した状態で、前記固定レンズに対する前記可動レンズの位置決めを行う可動レンズ載置部が形成された可動レンズ位置決め治具を、前記鏡枠に装着し、前記可動レンズ載置部に前記可動レンズを載置した状態で、前記アクチュエータのアクチュエータ基部を前記鏡枠に固着してなる。  【選択図】図６
2014063096.tif 000002
【特許請求の範囲】
【請求項１】
１つ以上の固定レンズを位置決めしつつ保持する鏡枠と、
前記固定レンズの先端側に配置され、光軸方向に移動可能とされる可動レンズと、
前記可動レンズを光軸方向に駆動するアクチュエータと、を備え、
前記アクチュエータは、前記可動レンズの外周に固定されるレンズマウント部及び、前記レンズマウント部の外周に配置され該レンズマウント部を光軸方向に移動させる駆動部を含むアクチュエータ基部を有するカメラモジュールの製造方法であって、
前記固定レンズと同一外径を有し、上面に、前記鏡枠に装着した状態で、前記固定レンズに対する前記可動レンズの位置決めを行う可動レンズ載置部が形成された可動レンズ位置決め治具を、前記鏡枠に装着し、
前記可動レンズ載置部に前記可動レンズを載置した状態で、前記アクチュエータのアクチュエータ基部を前記鏡枠に固着してなるカメラモジュールの製造方法。
【請求項２】
前記載置部に前記可動レンズを載置し、
次いで、前記アクチュエータを前記鏡枠上に配置し、
前記載置部に前記可動レンズを載置した状態で、前記アクチュエータの前記レンズマウント部と前記可動レンズとを固着すると共に、前記アクチュエータのアクチュエータ基部を前記鏡枠に固着してなる請求項１に記載のカメラモジュールの製造方法。
【請求項３】
前記可動レンズと前記アクチュエータの前記レンズマウント部とを固着し。
次いで、前記可動レンズ及び前記アクチュエータを前記鏡枠上に配置し、
前記可動レンズ載置部に前記可動レンズを載置した状態で、前記アクチュエータのアクチュエータ基部を前記鏡枠に固着してなる請求項１に記載のカメラモジュールの製造方法。
【請求項４】
前記アクチュエータに所定の制御電圧を印加した状態で前記アクチュエータのアクチュエータ基部を前記鏡枠に固着してなる請求項１から３のいずれか１項に記載のカメラモジュールの製造方法。
【請求項５】
前記制御電圧が、前記可動レンズの可動範囲における最も前記固定レンズ側の位置に前記可動レンズが配置されるスタンバイ電圧である請求項４に記載カメラモジュールの製造方法。
【発明の詳細な説明】
【技術分野】
【０００１】
本発明は、カメラモジュールの製造方法に関する。
【背景技術】
【０００２】
近年、携帯電話、ノート型パソコン等の様々な電子機器にカメラモジュールが組み込まれる事が一般的になっている。また、これらのカメラモジュールの高性能化に伴い、オートフォーカス機構（以下、ＡＦ機構という。）を備えたカメラモジュールが普及しつつある（例えば、特許文献１）。
【先行技術文献】
【特許文献】
【０００３】
【特許文献１】特開２００７−１０８５３４号公報
【０００４】
特許文献１に記載のカメラモジュールは、鏡枠（内筒）に第２レンズから第４レンズを固定、保持し、その物体側に、フォーカシングレンズとそのフォーカシングレンズを光軸方向に移動させるアクチュエータユニットとからなるＡＦ機構が取り付けられている。
【０００５】
ところで、カメラモジュールの解像度を高めるためには、各レンズ間の位置関係を高精度に位置決めする必要がある。文献１に記載のカメラモジュールでは、固定レンズ群（第２レンズから第４レンズ）においては、鏡枠の内周面とレンズの外周面を勘合構造として各レンズ間の調芯を行っている。一方、ＡＦ機構のフォーカシングレンズとその他の固定レンズ群との位置決めに際しては、ＡＦ機構のフォーカシングレンズを固定レンズ群に対して、調芯して配置位置を最適化する調芯工程が必要となっている。この調心工程では、フォーカシングレンズを含むＡＦ機構又は固定レンズ群を相対的に移動させて、ＭＴＦ（Ｍｏｄｕｌａｔｉｏｎ  Ｔｒａｎｓｆｅｒ  Ｆｕｎｃｔｉｏｎ）特性が最大となる位置で、それぞれを固定位置決めしている。
【発明の概要】
【発明が解決しようとする課題】
【０００６】
しかしながら、このような調芯工程が介在することにより、カメラモジュールを高精度且つ効率的に生産することが困難であるという問題がある。特にＡＦ機構はフォーカシングレンズの光軸方向への移動機構を有する為にフォーカシングレンズと固定レンズとの光軸方向の間隔を規定値に保持しつつ、ＡＦ機構及び固定レンズ群の調心を高精度に行うことが困難であるという問題がある。
【０００７】
本発明は上記従来における問題点を解決し、以下の目的を達成することを課題とする。即ち、本発明は、カメラモジュールの光学系の組立調整を容易化するカメラモジュールの製造方法を提供することを目的とする。
【課題を解決するための手段】
【０００８】
上記課題を解決するための手段としては、以下の通りである。即ち、本発明は、１つ以上の固定レンズを位置決めしつつ保持する鏡枠と、前記固定レンズの先端側に配置され、光軸方向に移動可能とされる可動レンズと、前記可動レンズを光軸方向に駆動するアクチュエータと、を備え、前記アクチュエータは、前記可動レンズの外周に固定されるレンズマウント部及び、前記レンズマウント部の外周に配置され該レンズマウント部を光軸方向に移動させる駆動部を含むアクチュエータ基部を有するカメラモジュールの製造方法であって、前記固定レンズと同一外径を有し、上面に、前記鏡枠に装着した状態で、前記固定レンズに対する前記可動レンズの位置決めを行う可動レンズ載置部が形成された可動レンズ位置決め治具を、前記鏡枠に装着し、前記可動レンズ載置部に前記可動レンズを載置した状態で、前記アクチュエータのアクチュエータ基部を前記鏡枠に固着してなる。
【０００９】
また、上記発明において、前記載置部に前記可動レンズを載置し、次いで、前記アクチュエータを前記鏡枠上に配置し、前記載置部に前記可動レンズを載置した状態で、前記アクチュエータの前記レンズマウント部と前記可動レンズとを固着すると共に、前記アクチュエータのアクチュエータ基部を前記鏡枠に固着してもよい。
【００１０】
また、上記発明において、前記可動レンズと前記アクチュエータの前記レンズマウント部とを固着し、次いで、前記可動レンズ及び前記アクチュエータを前記鏡枠上に配置し、前記可動レンズ載置部に前記可動レンズを載置した状態で、前記アクチュエータのアクチュエータ基部を前記鏡枠に固着してもよい。
【００１１】
また、上記発明において、前記アクチュエータに所定の制御電圧を印加した状態で前記アクチュエータのアクチュエータ基部を前記鏡枠に固着してもよい。
【００１２】
また、上記発明において、前記制御電圧が、前記可動レンズの可動範囲における最も前記固定レンズ側の位置に前記可動レンズが配置されるスタンバイ電圧であってもよい。
【発明の効果】
【００１３】
本発明によれば、カメラモジュールの光学系の組立調整を容易化できるという効果を奏する。
【図面の簡単な説明】
【００１４】
【図１】本発明のカメラモジュールの概略的な構成を示す断面斜視図
【図２】カメラモジュールの概略的な端面構成を示す断面図
【図３】アクチュエータの概略的な構成を示す断面斜視図
【図４】アクチュエータから可動レンズを取り外した状態を示す概略斜視図
【図５】カメラモジュールの概略的な端面構成を示す断面図
【図６】第１の実施の形態にかかる可動レンズの調芯工程を示す図である。
【図７】第２の実施の形態にかかる可動レンズの調芯工程を示す図である。
【発明を実施するための形態】
【００１５】
以下、本発明の実施の形態を図面を参照して説明する。
図１は、カメラモジュールの概略的な構成を示す断面斜視図、図２は、概略的な端面構成を示す断面図である。
図１に示すようにカメラモジュール１００は、レンズ１０、２０及び３０からなる各固定レンズ群を位置決し、且つ保持する鏡枠５０と、この鏡枠５０の先端側である物体側に配置され、可動レンズ４０をフォーカシングレンズとして光軸方向に移動させるアクチュエータ６０と、鏡枠５０の背面側である像側に配置される撮像素子７０と、これらを収めるハウジング８０と、ハウジング８０の背面側開口を塞ぐ基部９０とを有する。
【００１６】
図２は、カメラモジュール１００の各固定レンズ群を保持する鏡枠５０及び可動レンズ４０を保持するアクチュエータ６０からなる主要構成部分の断面図である。図２に示すように、固定レンズ群１０から３０は、中心部分の光学的有効領域の外側に、鏡枠５０の内周面に当接して、各レンズの位置関係を保持するためのフランジ領域１１、２１、及び３１が形成されている。
【００１７】
図３は、アクチュエータの概略的な構成を示す断面斜視図、図４は、可動レンズ４０を取り外した状態を示す概略斜視図である。本発明におけるアクチュエータ６０としては、可動レンズ４０を静電気力で移動させるＭＥＭＳ（Ｍｉｃｒｏ  Ｅｌｅｃｔｒｏ  Ｍｅｃｈａｎｉｃａｌ  Ｓｙｓｔｅｍｓ）アクチュエータを例に説明する。
【００１８】
ＭＥＭＳアクチュエータの構成としては、特に限定されず、公知の構成とすることができるが、例えば、特開２０１２−８５６９号に開示されるように、可動レンズが固定されるレンズマウント部（図示せず）と、レンズマウント部を介して可動レンズを光軸方向に移動させるための静電気力を発生させるコーム状（櫛状）の電極を有する駆動部（図示せず）を含むアクチュエータ基部とを備えている。
【００１９】
そして、所定の制御電圧をこのコーム状の電極に印加すると、レンズマウント部を介して可動レンズが上昇させられる。一方、駆動部への電圧の印加を停止すると、レンズの自重により可動レンズは下降する。また、例えば、携帯電話などにおいて、カメラ機能が起動された場合には、所定のスタンバイ電圧が常時ＭＥＭＳアクチュエータに印加され、撮影時には、更に、所定のオートフォーカス制御電圧が印加されて、可動レンズを任意の位置に駆動してオートフォーカスが実現される。
【００２０】
図３に示すように、本発明におけるＭＥＭＳアクチュエータ６０は、アウターアクチュエータハウジング６１及び、インナーアクチュエータハウジング６２と、それら各ハウジング６１及び６２に挟み込まれるように配置されるアクチュエータ基部６３を有している。また、アクチュエータ基部６３と可動レンズ４０とは、レンズマウント部６４を介して接続されている。
【００２１】
図４に示すようにレンズマウント部６４は、可動レンズ４０の円周方向に等間隔で３ヶ所形成され、可動レンズ４０の外周に接着剤で固着されている。
【００２２】
なお、アクチュエータ６０としては、ＭＥＭＳアクチュエータに特に限定されることはなく、たとえば、公知の電磁誘導によりムービングマグネットを移動させるいわゆるボイスコイル方式のアクチュエータなどを用いることができる。
【００２３】
〔第１の実施の形態〕
以下、本発明の実施の形態にかかるカメラモジュールの製造方法について図面を参照して説明する。
図５は、図２と同様に、カメラモジュール１００の各固定レンズ群を保持する鏡枠５０及び可動レンズ４０を光軸方向に移動可能としつつ、保持するアクチュエータ６０からなる主要構成部分の断面図である。
尚、図５に示したカメラモジュールでは、ＭＥＭＳアクチュエータ６０は、インナーアクチュエータハウジングを有さず、アクチュエータ基部６３が直接、鏡枠５０の上面に固定される例で説明するが、図２に示すインナーアクチュエータハウジング６２が介在されていてもよく、適宜選択されるものである。
【００２４】
図５に示すカメラモジュール１００において、カメラモジュールの解像度を高めるためには、可動レンズ４０は、調芯工程によって、レンズ１０、２０及び３０からなる各固定レンズ群に対して所定の位置決めがされている必要がある。
【００２５】
図６は、本発明の実施の形態にかかるカメラモジュールの製造方法における可動レンズ４０の調芯工程を示す図である。
【００２６】
本発明の実施の形態にかかる製造方法においては、図６に示すように、まず、各固定レンズ群の光学的な位置決めを可能とする形状精度が確保された内面形状を有する鏡枠５０に対して、最も可動レンズ４０側に配置される固定レンズと同一外径を有し、上面に、可動レンズ載置部２０１が形成された可動レンズ位置決め治具２００を前記鏡枠５０内に装着する。
【００２７】
ここで、可動レンズ載置部２０１は、可動レンズ位置決め治具２００を前記鏡枠５０に装着した状態で、最も可動レンズ４０側に配置される固定レンズに対して可動レンズ４０が所定の位置に配置されるように形成されている。
【００２８】
ここで、可動レンズ位置決め治具２００の光軸方向の基準位置は、治具２００の上面と、鏡枠５０の先端内面ＨＲとの間で規定され、可動レンズ位置決め治具２００の光軸方向と直行する方向の基準位置は、治具２００の側面と、鏡枠５０の先端内側面ＶＲとの間で規定される。そして、これら光軸方向及び、それに直交する方向の各基準位置に対して、可動レンズ４０が所定の位置に配置されるように、治具２００の上面に可動レンズ載置部２０１が形成されている。
【００２９】
また、可動レンズ載置部２０１の形状としては、可動レンズ４０が確実に固定される形状であれば特に限定されることはなく、例えば、可動レンズ４０のレンズ面と同一面形状を有する形状、又は、可動レンズ４０のレンズ面を点で保持する突起部を有する形状などがあげられる。
【００３０】
次いで、可動レンズ載置部２０１に可動レンズ４０を載置した状態で、アクチュエータ６０のアクチュエータ基部６３を前記鏡枠５０に固着してなる。固着方法としては、特に制限されることはなく、例えば、紫外線硬化樹脂や熱硬化樹脂をアクチュエータ基部６３と前記鏡枠５０との間に塗布して固着することがあげられる。
【００３１】
本発明の実施の形態にかかる製造方法においては、可動レンズ位置決め治具２００を、鏡枠５０に装着した後に、可動レンズ載置部２０１に可動レンズ４０を載置し、次いで、前記アクチュエータ６０を鏡枠５０上に配置し、次いで、アクチュエータ６０のレンズマウント部６４と可動レンズ４０とを固着し、次いで、アクチュエータ６０のアクチュエータ基部６３を鏡枠５０に固着する。ここで、これらの固着方法としては、上述のとおり、特に制限されることはなく、紫外線硬化樹脂や熱硬化樹脂などで固着することができる。
【００３２】
一方、可動レンズ４０とアクチュエータ６０のレンズマウント部６４とを事前に別の工程で固着しておき、次いで、可動レンズ位置決め治具２００を、鏡枠５０に装着し、次いで、可動レンズ４０及びアクチュエータ６０を鏡枠５０上に配置し、可動レンズ載置部２０１に可動レンズ４０を載置した状態で、アクチュエータ６０のアクチュエータ基部６３を鏡枠５０に固着してもよい。
【００３３】
なお、上述したとおり、アクチュエータ６０に、図２に示すインナーアクチュエータハウジング６２を有する場合には、インナーアクチュエータハウジング６２と鏡枠５０とが固着される。
【００３４】
以上の可動レンズの調芯工程が完了した後に、鏡枠５０から可動レンズ位置決め治具２００を取り外し、次いで、固定レンズ１０、２０及び３０をこの順序で、鏡枠内５０に挿入し、鏡枠５０の開口端にリングなどの固定部材を取り付けることにより各固定レンズを鏡枠５０内で固定する。
【００３５】
本実施の形態にかかる製造方法によれば、光軸方向へ可動する可動レンズ４０と固定レンズ群１０から３０との光軸方向の間隔を所定の光学的な位置に保持しつつ、可動レンズ４０及び、固定レンズ群１０から３０の調心及び組立てを高精度且つ容易化できる。
【００３６】
〔第２の実施の形態〕
次に、本発明の第２の実施の形態にかかるカメラモジュールの製造方法について図面を参照して説明する。図７は、第２の実施の形態にかかるカメラモジュールの製造方法における可動レンズ４０の調芯工程を示す図である。
【００３７】
第２の実施の形態にかかる製造方法においては、まず、可動レンズ位置決め治具２００を、鏡枠５０に装着した後に、前記アクチュエータ６０を鏡枠５０上に配置し、次いで、載置部２０１に可動レンズ４０を載置した状態で、ＭＥＭＳアクチュエータ６０に所定の制御電圧を印加し、この制御電圧を維持しつつ、アクチュエータ６０のアクチュエータ基部６３を鏡枠５０に固着する。
【００３８】
ここで、ＭＥＭＳアクチュエータ６０に印加される制御電圧としては、可動レンズ４０の可動範囲における最も固定レンズ側の位置に、可動レンズ４０が配置されるような、例えば、カメラ起動時のスタンバイ電圧であることが好ましい。本実施の形態にかかる製造方法によれば、ＭＥＭＳアクチュエータ６０にスタンバイ電圧を印加した状態で、可動レンズ４０と固定レンズ１０との光軸方向の間隔を所定の光学的な位置に保持しつつ、ＭＥＭＳアクチュエータ６０及び可動レンズ４０と、鏡枠５０との調心及び組立てを行うので、カメラ起動時の光学系の位置精度再現性を向上させ、解像度の高いカメラを提供することが可能となる。
【００３９】
尚、上記第１の実施の形態にかかる製造方法と同様に、可動レンズ４０、アクチュエータ６０のレンズマウント部６４及びアクチュエータ基部６３の固着手順に関しては、可動レンズ位置決め治具２００上の可動レンズ載置部２０１に可動レンズ４０を載置した後に、前記アクチュエータ６０を鏡枠５０上に配置し、その後に、可動レンズ４０とアクチュエータ６０のレンズマウント部６４とを固着し、次いで、ＭＥＭＳアクチュエータ６０にスタンバイ電圧を印加した状態で、アクチュエータ６０のアクチュエータ基部６３を鏡枠５０に固着してもよく、また、可動レンズ４０とアクチュエータ６０のレンズマウント部６４とを事前に別工程で固着しておき、次いで、可動レンズ４０及びアクチュエータ６０を鏡枠５０上に配置し、その後、ＭＥＭＳアクチュエータ６０にスタンバイ電圧を印加した状態で、アクチュエータ６０のアクチュエータ基部６３を鏡枠５０に固着してもよい。
【００４０】
第２の実施の形態にかかる製造方法において、ＭＥＭＳアクチュエータ６０に所定の制御電圧を印加する構成としては、例えば、図７に示す構成があげられる。即ち、ＭＥＭＳアクチュエータ６０には、アクチュエータ駆動部（図示せず）に電気的に接続される給電端子６５が鏡枠５０との対向面に設けられている。また、鏡枠５０側の給電端子６５に対応する面には、給電端子６５に電圧を供給する為の給電端子５４が設けられている。また、鏡枠５０内には、給電端子５４に電圧を供給する為の給電線５１が配置されている。そして、この給電線５１の一部が分岐されて、鏡枠５０の内種面に給電端子５３が形成されている。また、可動レンズ位置決め治具２００の外周面には、鏡枠５０側の給電端子５３に対向する位置に給電端子２０３が形成されている。また、この給電端子２０３に電圧を供給する為の給電線２０２が可動レンズ位置決め治具２００内に形成される。従って、可動レンズ位置決め治具２００に鏡枠５０装着し、更に、鏡枠５０上にＭＥＭＳアクチュエータ６０を載置し、ＭＥＭＳアクチュエータ６０のアクチュエータ駆動部（図示せず）に電圧を印加しつつ、可動レンズ４０を含むＭＥＭＳアクチュエータ６０及び鏡枠５０との調心及び組立てが可能となる。
【符号の説明】
【００４１】
１０    固定レンズ
２０    固定レンズ
３０    固定レンズ
４０    可動レンズ（フォーカシングレンズ）
５０    鏡枠
５３    給電端子
５４    給電端子
６０    アクチュエータ
６３    アクチュエータ基部
６４    レンズマウント部
６５    給電端子６５
２００  可動レンズ位置決め治具２００
２０１  可動レンズ載置部２０１
２０３  給電端子
【図１】
2014063096.tif 000003
【図２】
2014063096.tif 000004
【図３】
2014063096.tif 000005
【図４】
2014063096.tif 000006
【図５】
2014063096.tif 000007
【図６】
2014063096.tif 000008
【図７】
2014063096.tif 000009